(57)【要約】  折り畳み可能な容器は、前面と折り畳み可能なバッキングとを有し、製品が除去されるにつれて、容器容積が減少し、容器容積が減少するにつれて、折り畳み可能なバッキングが折り畳まれる。前面は、可撓性であり、それ故に、容器容積が減少するにつれて、その原形を失いやすいが、それにもかかわらず、その周囲の少なくとも一部の周りにフレームを有することによりその形状を維持するように設計される。前面は、その代わりに、容器容積の減少時に折り畳み可能なバッキングが折り畳まれるにつれて、その形状を維持するように適合され得る。折り畳み可能な容器は、その前壁に観測窓を有するディスペンサ筐体における使用に特に有益であり、観測窓は、折り畳み可能な容器の前面と整列している。【選択図】図１
2015530321.tif 000002
【特許請求の範囲】
【請求項１】
折り畳み可能な容器から製品を分注するための手段を提供するディスペンサ筐体内で受容するための折り畳み可能な容器であって、
周囲を有する前面と、
前記ディスペンサ筐体と係合して、前記前面を前記筐体内の所定の位置に維持するように適合された、前記前面の前記周囲の少なくとも一部の周りで画定されるフレームと、
容器容積を画定するように前記前面に固定された折り畳み可能なバッキング(a collapsible backing)と、
前記容器容積内に維持される製品と、を備え、前記容器容積からの前記製品の一部の除去が前記容器容積を減少させるように前記容器容積が密閉され、前記容器容積が減少するにつれて、前記折り畳み可能なバッキングが前記前面に向かって真空により折り畳まれる、折り畳み可能な容器。
【請求項２】
前記前面が、可撓性膜で作られている、請求項１に記載の容器。
【請求項３】
前記フレームが、複数のフレーム支持体を含む、請求項２に記載の容器。
【請求項４】
前記折り畳み可能なバッキングが、可撓性膜で作られている、請求項２に記載の容器。
【請求項５】
前記容器からの製品の除去時に前記容器容積が減少するにつれて、前記折り畳み可能なバッキングが折り畳まれるときに、前記前面が、その形状を維持するように適合される、請求項１に記載の容器。
【請求項６】
前記折り畳み可能なバッキングが折り目を含み、前記容器容積が減少するにつれて、前記折り畳み可能なバッキングが前記折り目に沿って折り畳まれる、請求項５に記載の容器。
【請求項７】
前記折り畳み可能なバッキングが、
前記前面と反対側の背壁と、
前記前面と前記背壁とを相互接続する右側壁および左側壁と、
前記前面、背壁、右側壁、および左側壁と相互接続する底壁と、
前記前面、背壁、右側壁、および左側壁と相互接続する上壁であって、前記前面、背壁、右側壁、左側壁、上壁、および底壁が、製品を保持する容器容積を画定する、上壁と、
前記背壁にわたって延在する背壁上折り目であって、前記背壁を、前記背壁上折り目と前記上壁との間の上小面と、前記背壁上折り目と前記底壁との間の中央小面と、に分離する背壁上折り目と、を備え、前記容器からの製品の除去が、前記容器容積を減少させ、前記容器容積が減少するにつれて、前記上小面が前記中央小面に向かって折れ曲がるように、前記容器が、前記背壁上折り目に沿って折れ曲がり、前記背壁上折り目での折れ曲がりが前記前壁ではシミュレートされず、かつ前記前壁がその形状を保持するように、前記前壁が、前記背壁上折り目の構造および機能を模倣する折り目を有しない、請求項５に記載の容器。
【請求項８】
前記製品のさらなる部分が前記容器容積から除去され、かつ前記容器が空の構成に近づくにつれて、前記折り畳み可能なバッキングの少なくとも一部が、前記前面に近接近する、請求項５に記載の容器。
【請求項９】
前記前面の少なくとも一部が、透明または半透明である、請求項８に記載の容器。
【請求項１０】
前記折り畳み可能なバッキングが内面を有し、前記内面が前記前面に接近するか、または接触するときに、証印が前記前面の前記透明または半透明な部分を通して可視的であるように、前記証印が前記内面上に提供される、請求項９に記載の容器。
【請求項１１】
中の内容物の分注中に充填された構成から空の構成まで折り畳み可能な容器であって、
前面と、
容器容積を画定するように前記前面に固定された折り畳み可能なバッキングと、
前記容器容積内に維持される製品と、を備え、前記容器容積からの前記製品の一部の除去が前記容器容積を減少させるように前記容器容積が密閉され、前記容器容積が減少するにつれて、前記折り畳み可能なバッキングが前記前面に向かって真空により折り畳まれ、前記容器からの製品の除去時に前記折り畳み可能なバッキングが折り畳まれるときに、前記前面がその形状を維持するように適合される、容器。
【請求項１２】
前記前面が周囲を有し、前記容器が前記前面の前記周囲の少なくとも一部の周りで画定されたフレームをさらに備え、前記フレームが複数のフレーム支持体を含む、請求項１１に記載の容器。
【請求項１３】
前記折り畳み可能なバッキングが、可撓性膜で作られている、請求項１１に記載の容器。
【請求項１４】
前記折り畳み可能なバッキングが折り目を含み、前記容器容積が減少するにつれて、前記折り畳み可能なバッキングが前記折り目に沿って折り畳まれる、請求項１１に記載の容器。
【請求項１５】
ディスペンサであって、
折り畳み可能な容器を受容するための容積を画定する筐体であって、
前記筐体の内部の少なくとも一部の表示を可能にする観測窓を有する前壁と、
引っ張りマウントと、を含む、筐体と、
前記筐体内に維持される折り畳み可能な容器であって、中の内容物の分注中に充填された構成から実質的に空の構成まで折り畳み可能であり、
前記筐体の前記観測窓に近接近して位置付けられる、周囲を有する前面と、
前記前面の前記周囲の少なくとも一部の周りで画定されたフレームと、
前記フレーム内のフレーム支持体と、
容器容積を画定するように前記前面に固定された折り畳み可能なバッキングと、
前記容器容積内に維持される製品と、を含み、前記ディスペンサの動作時にある用量の製品が前記容器から分注され、前記容器容積からのある用量の製品の分注が前記容器容積を減少させるように前記容器が密閉され、前記容器容積が減少するにつれて、前記折り畳み可能なバッキングが前記前面に向かって真空により折り畳まれ、前記前面が前記観測窓に近接近したまま留まるように前記折り畳み可能なバッキングが折り畳まれるにつれて、前記前面が所定の位置に維持されるように、前記前面が前記引っ張りマウントと前記フレーム支持体との間の相互作用により所定の位置に保持される、折り畳み可能な容器と、
を備える、ディスペンサ。
【請求項１６】
前記剛性の前面が、画像または文字を含む、請求項１５に記載のディスペンサ。
【請求項１７】
前記ディスペンサの動作時に動作するポンプであって、前記ポンプの動作が、ある用量の前記製品を前記容器容積から分注する、ポンプをさらに備える、請求項１５に記載のディスペンサ。
【請求項１８】
ディスペンサであって、
折り畳み可能な容器を受容するための容積を画定する筐体であって、前記筐体の内部の少なくとも一部の表示を可能にする観測窓を有する前壁を含む、筐体と、
前記筐体内に維持される折り畳み可能な容器であって、中の内容物の分注中に充填された構成から実質的に空の構成まで折り畳み可能であり、
前記筐体の前記観測窓に近接近して位置付けられる前面と、
容器容積を画定するように前記前面に固定された折り畳み可能なバッキングと、
前記容器容積内に維持される製品と、を備え、前記ディスペンサの動作時にある用量の製品が前記容器から分注され、前記容器容積からのある用量の製品の分注が前記容器容積を減少させるように前記容器が密閉され、前記容器容積が減少するにつれて、前記折り畳み可能なバッキングが前記前面に向かって真空により折り畳まれ、前記前面が前記観測窓に近接近したまま留まるように、前記折り畳み可能なバッキングが折り畳まれるにつれて前記前面がその形状を維持するように適合される、折り畳み可能な容器と、
を備える、ディスペンサ。
【発明の詳細な説明】
【技術分野】
【０００１】
本発明は、一般に、折り畳み可能な容器に関する。特定の実施形態では、本発明は、液体ディスペンサで用いられる折り畳み可能な容器に関する。具体的な実施形態では、本発明は、一般に、ポンプが折り畳み可能な容器と連通しており、製品がポンプにより容器から除去されるにつれて、容器が折り畳まれるディスペンサにおいて有用な折り畳み可能な容器に関する。本発明は、任意の流動性製品の分注に有用であり、石鹸および殺菌剤の分注時の使用で支持を得ている。
【背景技術】
【０００２】
折り畳み可能な容器は周知であり、様々な環境で用いられている。本明細書に開示する折り畳み可能な容器は、製品が容器から除去されるにつれて容器が折り畳まれることが所望される任意の環境で有用であろう。しかしながら、本明細書で折り畳み可能な容器の態様を開示するとき、液体を分注する技術が注目される。とりわけ、特定の実施形態では、本出願は、最も一般的には、石鹸、手用殺菌剤、およびローションなどのハンドトリートメント製品を分注する液体ディスペンサで用いられる折り畳み可能な容器に注目する。それにもかかわらず、本明細書に教示される容器は、中の特定の製品または容器が用いられる特定の環境にかかわらず、製品の除去時に折り畳まれるため、本明細書の折り畳み可能な容器は、多くの環境で用いることが可能であることがかさねて強調されるべきである。
【０００３】
液体ディスペンサ用の折り畳み可能な容器の複雑さは、周知のバッグインボックスタイプディスペンサ（例えば、米国特許第５，５９８，９５２号）内のプラスチック袋などの単純な膜型のプラスチック袋から、米国特許第５，０８３，６７８号に示される構造などのより剛性であるが、折り畳み可能な構造に及ぶ。これらの容器は、容器からの製品の除去が除去された製品の容積だけ容器容積を減少させるように密閉される。一般的には、ポンプは、容器に対して密閉され、ポンプの動作は、製品を容器から除去させる。このような環境下では、容器の折り畳みは、いくつかの利点を提示する。
【０００４】
第一に、利用可能な製品が容器から分注されるとき、容器は完全に折り畳まれ、それ故に、どのゴミ箱および埋立地でもスペースをあまり取らない。第二に、ポンプへの入口が容器の容量内に位置付けられるとき、容器の折り畳みは、容器の折り畳みが容器内の製品をポンプの入口に追いやるため、結果的に容器の体積をより効率的に空にすることができる。米国特許第５，０８３，６７８号などの特定の実施形態では、容器内の製品の減少がその観測窓を通してより容易に監視され得るように、容器の折り畳みが、容器内の製品をディスペンサ筐体の観測窓に追いやる役目も果たし得る。特に、ハンドトリートメント製品用の壁掛け式の容器のディスペンサ筐体の観測窓の使用が周知である。最後に、予想可能な様式で折り畳まれる容器を提供することによって、容器がディスペンサ内で膨れたり、よじれたり、またはねじれたりし、かつディスペンサ筐体の内部構造と望ましくないように接触するような様式で形状を変化させることがないことを確実にすることが可能である。容器がこのような様式で膨れたり、よじれたり、またはねじれたりするとき、それらは、ディスペンサ筐体の構造に圧力をかけ得るが、これは望ましくない。これは、ディスペンサ内での容器の不適切な配置につながり得、ポンプを動作させる部品をさらに働かせ、それ故に、ディスペンサの所要動力も増加させ得る。
【０００５】
一部の先行技術では、容器壁に形成された折り目を用いて容器をより制御して折り畳むようにする。このような技術は、Ｉ型梁構造を形成するように折り畳まれる容器を作成するように折り目が提供される、米国特許第５，４４５，２８８号および同第５，５５６，００５号を含む。折り目の実装にかかわらず、これらの構造は、依然として、ある程度、膨れたり、よじれたり、ねじれたりする。加えて、容器の膨れ、よじれ、およびねじれは、容器を上記の観測窓から離れさせ、それ故に、容器内に残った製品の量の表示を覆い隠し得る。
【０００６】
先行技術による折り畳み可能な容器はまた、一般には、完成されているが空の容器としてブロー成形またはその他の方法で形成され、これらの空の容器は、製品が売れて、製品の注文に応じてこれらの空の容器を充填することが望ましくなるまで、保管される。したがって、大きい保管スペースが空の容器の専用となり得るが、これは望ましくない。
【０００７】
先行技術は異なるタイプの折り畳み可能な容器を取り扱わないが、折り目と、製品を観測窓に近接して置かれることを促す他の特徴部とを持つ複雑な構造に焦点を当てるのは、見当違いである。本発明は、折り畳み可能な容器を簡略化し、同時に、特に製品をディスペンサの観測窓に近接させようと促すその機能性を改善することによって、先行技術を大いに改善する。また、先行技術は、容積の大きい空の容器を、それらを充填することが必要となるまで保管する必要性を回避することによっても、改善することが可能である。
【発明の概要】
【０００８】
本発明の実施形態は、折り畳み可能な容器から製品を分注するための手段を提供するディスペンサ筐体内で受容するための折り畳み可能な容器であって、周囲を有する前面と、ディスペンサ筐体と係合して、前面を筐体内の所定の位置に維持するように適合された、前述の前面の前述の周囲の少なくとも一部の周りで画定されるフレームと、容器容積を画定するように前述の前面に固定された折り畳み可能なバッキングと、前述の容器容積内に維持される製品と、を備え、前述の容器容積からの前述の製品の一部の除去が前述の容器容積を減少させるように、容器容積が密閉され、前述の容器容積が減少するにつれて、前述の折り畳み可能なバッキングが前述の前面に向かって真空により折り畳まれる、折り畳み可能な容器を提供する。
【０００９】
他の実施形態では、本発明は、前述の前面が可撓性膜で作られている、上記のパラグラフ［０００８］に記載の容器を提供する。
【００１０】
他の実施形態では、本発明は、前述のフレームが、複数のフレーム支持体を含む、上記のパラグラフ［０００８］または［０００９］に記載の容器を提供する。
【００１１】
他の実施形態では、本発明は、前述の複数のフレーム支持体が、アパーチュアである、上記のパラグラフ［０００８］〜［００１０］のいずれかに記載の容器を提供する。
【００１２】
他の実施形態では、本発明は、前述の折り畳み可能なバッキングが、可撓性膜で作られている、上記のパラグラフ［０００８］〜［００１１］のいずれかに記載の容器を提供する。
【００１３】
他の実施形態では、本発明は、容器からの製品の除去時に前述の容器容積が減少するにつれて、前述の折り畳み可能なバッキングが折り畳まれるときに、前述の前面が、その形状を維持するように適合される、上記のパラグラフ［０００８］〜［００１２］のいずれかに記載の容器を提供する。
【００１４】
他の実施形態では、本発明は、前述の折り畳み可能なバッキングが、可撓性膜で作られている、上記のパラグラフ［０００８］〜［００１３］のいずれかに記載の容器を提供する。
【００１５】
他の実施形態では、本発明は、前述の折り畳み可能なバッキングが折り目を含み、前述の容器容積が減少するにつれて、前述の折り畳み可能なバッキングが前述の折り目に沿って折り畳まれる、上記のパラグラフ［０００８］〜［００１４］のいずれかに記載の容器を提供する。
【００１６】
他の実施形態では、本発明は、前述の折り畳み可能なバッキングが、前述の前面と反対側の背壁と、前述の前面と前述の背壁とを相互接続する右側壁および左側壁と、前述の前面、背壁、右側壁、および左側壁と相互接続する底壁と、前述の前面、背壁、右側壁、および左側壁と相互接続する上壁であって、前述の前面、背壁、右側壁、左側壁、上壁、および底壁が、製品を保持する容器容積を画定する、上壁と、前述の背壁にわたって延在する背壁上折り目であって、前述の背壁を、前述の背壁上折り目と前述の上壁との間の上小面と、前述の背壁上折り目と前述の底壁との間の中央小面と、に分離する背壁上折り目と、を備え、前述の容器からの製品の除去が、前述の容器容積を減少させ、前述の容器容積が減少するにつれて、前述の上小面が前述の中央小面に向かって折れ曲がるように、前述の容器が、前述の背壁上折り目に沿って折れ曲がり、前述の背壁上折り目での折れ曲がりが前述の前壁ではシミュレートされず、かつ前述の前壁がその形状を保持するように、前述の前壁が、前述の背壁上折り目の構造および機能を模倣する折り目を有しない、上記のパラグラフ［０００８］〜［００１５］のいずれかに記載の容器を提供する。
【００１７】
他の実施形態では、本発明は、前述の製品のさらなる部分が前述の容器容積から除去され、かつ容器が空の構成に近づくにつれて、前述の折り畳み可能なバッキングの少なくとも一部が、前述の前面に近接近する、上記のパラグラフ［０００８］〜［００１６］のいずれかに記載の容器を提供する。
【００１８】
他の実施形態では、本発明は、前述の前面の少なくとも一部が、透明または半透明である、上記のパラグラフ［０００８］〜［００１７］のいずれかに記載の容器を提供する。
【００１９】
他の実施形態では、本発明は、前述の折り畳み可能なバッキングが内面を有し、前述の内面が前述の前面に近接近するか、または接触するときに、証印が前述の前面の前述の透明または半透明な部分を通して可視的であるように、前述の証印が前述の内面上に提供される、上記のパラグラフ［０００８］〜［００１８］のいずれかに記載の容器を提供する。
【００２０】
他の実施形態では、本発明は、前述の証印が、容器がほぼ空であることの掲示を提供する、上記のパラグラフ［０００８］〜［００１９］のいずれかに記載の容器を提供する。
【００２１】
他の実施形態では、本発明は、前述の前面が、穿刺に抵抗する材料で形成される、上記のパラグラフ［０００８］〜［００２０］のいずれかに記載の容器を提供する。
【００２２】
他の実施形態では、本発明は、ある用量の前述の製品を前述の容器から分注するように動作するポンプをさらに備える、上記のパラグラフ［０００８］〜［００２１］のいずれかに記載の容器を提供する。
【００２３】
他の実施形態では、本発明は、中の内容物の分注中に充填された構成から空の構成まで折り畳み可能な容器であって、前面と、容器容積を画定するように前述の前面に固定された折り畳み可能なバッキングと、前述の容器容積内に維持される製品と、を備え、前述の容器容積からの前述の製品の一部の除去が前述の容器容積を減少させるように容器容積が密閉され、前述の容器容積が減少するにつれて、前述の折り畳み可能なバッキングが前述の前面に向かって真空により折り畳まれ、前述の容器からの製品の除去時に前述の折り畳み可能なバッキングが折り畳まれるときに、前述の前面がその形状を維持するように適合される、容器を提供する。
【００２４】
他の実施形態では、本発明は、前述の前面は、周囲を有し、容器は、前面の周囲の少なくとも一部の周りで画定されたフレームをさらに備え、前述のフレームが複数のフレーム支持体を含む、上記のパラグラフ［００２３］に記載の容器を提供する。
【００２５】
他の実施形態では、本発明は、前述の折り畳み可能なバッキングが、可撓性膜で作られている、上記のパラグラフ［００２３］または［００２４］に記載の容器を提供する。
【００２６】
他の実施形態では、本発明は、前述の折り畳み可能なバッキングが折り目を含み、前述の容器容積が減少するにつれて、前述の折り畳み可能なバッキングが前述の折り目に沿って折り畳まれる、上記のパラグラフ［００２３］〜［００２５］のいずれかに記載の容器を提供する。
【００２７】
他の実施形態では、本発明は、前述の折り畳み可能なバッキングが、前述の前面と反対側の背壁と、前述の前面と前述の背壁とを相互接続する右側壁および左側壁と、前述の前面、背壁、右側壁、および左側壁と相互接続する底壁と、前述の前面、背壁、右側壁、および左側壁と相互接続する上壁と、前述の背壁にわたって延在する背壁上折り目であって、前述の背壁を、前述の背壁上折り目と前述の上壁との間の上小面と、前述の背壁上折り目と前述の底壁との間の中央小面と、に分離する背壁上折り目と、を備え、前述の容器からの製品の除去が、前述の容器容積を減少させ、前述の容器容積が減少するにつれて、前述の上小面が前述の中央小面に向かって折れ曲がるように、前述の容器が、前述の背壁上折り目に沿って折れ曲がり、前述の背壁上折り目での折れ曲がりが前述の前壁ではシミュレートされず、かつ前述の前壁がその形状を保持するように、前述の前壁が、前述の背壁上折り目の構造および機能を模倣する折り目を有しない、上記のパラグラフ［００２３］〜［００２６］のいずれかに記載の容器を提供する。
【００２８】
他の実施形態では、本発明は、前述の製品のさらなる部分が前述の容器容積から除去され、かつ容器が空の構成に近づくにつれて、前述の折り畳み可能なバッキングの少なくとも一部が、前述の前面に近接近する、上記のパラグラフ［００２３］〜［００２７］のいずれかに記載の容器を提供する。
【００２９】
他の実施形態では、本発明は、前述の前面の少なくとも一部が、透明または半透明である、上記のパラグラフ［００２３］〜［００２８］のいずれかに記載の容器を提供する。
【００３０】
他の実施形態では、本発明は、前述の折り畳み可能なバッキングが内面を有し、前述の内面が前述の前面に近接近するか、または接触するときに、証印が前述の前面の前述の透明または半透明な部分を通して可視的であるように、前述の証印が前述の内面上に提供される、上記のパラグラフ［００２３］〜［００２９］のいずれかに記載の容器を提供する。
【００３１】
他の実施形態では、本発明は、前述の証印が、容器がほぼ空であることの通知を提供する、上記のパラグラフ［００２３］〜［００３０］のいずれかに記載の容器を提供する。
【００３２】
他の実施形態では、本発明は、前述の前面が、穿刺に抵抗する材料で形成される、上記のパラグラフ［００２３］〜［００３１］のいずれかに記載の容器を提供する。
【００３３】
他の実施形態では、本発明は、ある用量の前述の製品を前述の容器から分注するように動作するポンプをさらに備える、上記のパラグラフ［００２３］〜［００３２］のいずれかに記載の容器を提供する。
【００３４】
他の実施形態では、本発明は、ディスペンサであって、折り畳み可能な容器を受容するための容積を画定する筐体であって、筐体の内部の少なくとも一部の表示を可能にする観測窓を有する前壁と、引っ張りマウントと、を含む筐体と、前述の筐体内に維持される折り畳み可能な容器であって、中の内容物の分注中に充填された構成から実質的に空の構成まで折り畳み可能であり、前述の筐体の前述の観測窓に近接近して位置付けられる、周囲を有する前面と、前述の前面の前述の周囲の少なくとも一部の周りで画定されたフレームと、前述のフレーム内のフレーム支持体と、容器容積を画定するように前述の前面に固定された折り畳み可能なバッキングと、前述の容器容積内に維持される製品と、を備え、前述のディスペンサの動作時にある用量の製品が前述の容器から分注され、前述の容器容積からのある用量の製品の分注が、前述の容器容積を減少させるように容器が密閉され、前述の容器容積が減少するにつれて、前述の折り畳み可能なバッキングが、前述の前面に向かって真空により折り畳まれ、前述の前面が前述の観測窓に近接近したまま留まるように前述の折り畳み可能なバッキングが折り畳まれるにつれて、前述の前面が所定の位置に維持されるように、前述の前面が前述の引っ張りマウントと前述のフレーム支持体との間の相互作用により所定の位置に保持される、折り畳み可能な容器と、を備える、ディスペンサを提供する。
【００３５】
他の実施形態では、本発明は、前述の観測窓が、透明なカバリングを有しない、簡単なアパーチュアであり、前述の容器の前述の前面が、このようなカバリングとして機能する、上記のパラグラフ［００３４］に記載の容器を提供する。
【００３６】
他の実施形態では、本発明は、前述の剛性の前面が、画像または文字を含む、上記のパラグラフ［００３４］または［００３５］に記載の容器を提供する。
【００３７】
他の実施形態では、本発明は、前述のディスペンサの動作時に動作するポンプであって、前述のポンプの動作が、ある用量の前述の製品を前述の容器容積から分注する、ポンプをさらに備える、上記のパラグラフ［００３４］〜［００３６］のいずれかに記載の容器を提供する。
【００３８】
他の実施形態では、本発明は、前述の前面が、可撓性膜で形成される、上記のパラグラフ［００３４］〜［００３７］のいずれかに記載の容器を提供する。
【００３９】
他の実施形態では、本発明は、ディスペンサであって、折り畳み可能な容器を受容するための容積を画定する筐体であって、筐体の内部の少なくとも一部の表示を可能にする観測窓を有する前壁を含む、筐体と、前述の筐体内に維持される折り畳み可能な容器であって、中の内容物の分注中に充填された構成から実質的に空の構成まで折り畳み可能であり、前述の筐体の前述の観測窓に近接近して位置付けられる前面と、容器容積を画定するように前述の前面に固定された折り畳み可能なバッキングと、前述の容器容積内に維持される製品と、を備え、前述のディスペンサの動作時にある用量の製品が前述の容器容積から分注され、前述の容器容積からのある用量の製品の分注が、前述の容器容積を減少させるように容器が密閉され、前述の容器容積が減少するにつれて、前述の折り畳み可能なバッキングが、前述の前面に向かって真空により折り畳まれ、前述の前面が前述の観測窓に近接近したまま留まるように、前述の折り畳み可能なバッキングが折り畳まれるにつれて前述の前面がその形状を維持するように適合される、折り畳み可能な容器と、を備える、ディスペンサを提供する。
【図面の簡単な説明】
【００４０】
【図１】本発明に従い、かつ全ての実施形態に対して一般に適用可能である一般的な折り畳み可能な容器の斜視図である。
【図２】折り畳み可能なバッキングの可撓性膜材料を用いる、本発明に従う折り畳み可能な容器の実施形態の斜視図である。
【図３】図２の折り畳み可能な容器の実施形態の底面図である。
【図４】製品の除去により折り畳まれ始めるところが示されている、図２の折り畳み可能な容器の実施形態の側面図である。
【図５】図４に類似しているが、図５と比較してさらにより多くの製品の除去によるさらなる折り畳み時の容器を示す側面図である。
【図６】図４および５に類似しているが、図４および５と比較してさらにより多くの製品の除去によるさらなる折り畳み時の容器を示す、折り畳み可能なバッキングの一部が、真空により引かれて、前面と接触するまたはこれに非常に接近して位置している状態の、側面図である。
【図７】前面から見た可撓性バッキング上の掲示であり、容器がすぐに交換する必要があるとの指示を提供する掲示を示す、図６の前面図である。
【図８】底部に固定されたポンプと共に示す、図２の折り畳み可能な容器の側面図である。
【図９】より構造化された折り畳み可能なバッキングを用いる、本発明に従う折り畳み可能な容器の実施形態の側面図である。
【図１０】図９の折り畳み可能な容器の実施形態の底面図である。
【図１１】互いに緊密に積み重なるように好ましくは構造化される、図９の２つの折り畳み可能なバッキングの実施形態の側面図である。
【図１２】製品の除去により折り畳まれ始めるところが示されている、図９の折り畳み可能な容器の実施形態の側面図である。
【図１３】図１２に類似しているが、図１２と比較してさらにより多くの製品の除去によるさらなる折り畳み時の容器を示す側面図である。
【図１４】側壁の方が前壁および背壁よりも容易に折り畳まれやすいことによる制御様式で折り畳まれる折り畳み可能なバッキング構造を用いる、本発明に従う折り畳み可能な容器の実施形態の底面図である。
【図１５】製品の除去により折り畳まれ始めるところが示されている、図１４の実施形態の底面図である。
【図１６】前壁および背壁よりも容易に折り畳まれやすい側壁を持つ段差構造であることによる制御様式で折り畳まれる折り畳み可能なバッキング構造を用いる、本発明に従う折り畳み可能な容器の実施形態の底面図である。
【図１７】製品の除去により折り畳まれ始めるところが示されている、図１６の実施形態の底面図である。
【図１８】折り畳み可能なバッキング中に織り込まれた折り目を有することによる制御様式で折り畳まれる折り畳み可能なバッキング構造を用いる、本発明に従う折り畳み可能な容器の実施形態の側面図である。
【図１９】図１８の実施形態の背面図である。
【図２０】製品の除去により折り畳まれ始めるところが示されている、図１８の折り畳み可能な容器の実施形態の側面図である。
【図２１】図２０に類似しているが、図２０と比較してさらにより多くの製品の除去によるさらなる折り畳み時の容器を示す側面図である。
【図２２】本発明に従う、ディスペンサ筐体と、それがどのように折り畳み可能な容器を受容するかと、の斜視アセンブリ図である。
【図２３】折り畳み可能な容器が筐体の一部に受容されたところを示す、図２２のアセンブリの斜視図である。
【図２４】図２２および２３の組み立てられたディスペンサの前面図である。
【発明を実施するための形態】
【００４１】
本発明は、製品ディスペンサ用の折り畳み可能な容器の提供に対する新しい方式を提供する。本発明はまた、このような折り畳み可能な容器を用いる新しいディスペンサを提供する。折り畳み可能な容器は、全て概念的には類似しているが、多くの実施形態は、本明細書中の一般的概念の範囲に含まれる。折り畳み可能な容器の前面の形状に焦点があり、これは、いくつかの方法によって達成することが可能であり、その様々な実施形態を、本明細書に説明する。本発明の一般的な実施形態を提示す図１を参照すると、折り畳み可能な容器１０は、前面１２および折り畳み可能なバッキング(a collapsible backing)１４を含み、容器容積１６は通気口がなく、そのため、製品Ｐが除去されるにつれて、折り畳み可能なバッキング１４は、容器容積１６が減少するにつれて、真空により折り畳まれる。
【００４２】
一部の実施形態では、前面は、可撓性であり、それ故に、容器容積が減少するにつれて、その原形を失いやすいが、それにもかかわらず、その周囲の少なくとも一部分の周りにフレームを有することによってその形状を維持するように設計されている。他の実施形態では、前面は、容器容積が減少するにつれて折り畳み可能なバッキングが折り畳まれるときに、その形状を維持するように適合される。図１のフレーム１８などのフレームは、全ての実施形態中の前面の周囲の周りに延在するところが示されているが、前面がその形状を維持するように適合される実施形態では、フレームは省略可能であることを理解すべきである。前面はその形状を維持するという了解の下で、本開示は最初に、折り畳み可能なバッキングの実施形態を扱い、その後で、前面の実施形態を扱う。
【００４３】
一部の実施形態では、折り畳み可能なバッキングは、可撓性であり、製品が除去されると膜袋が折り畳まれるのに類似した様式で折り畳まれる。他の実施形態では、折り畳み可能なバッキングは、より構造化され、幾分か剛性であるが、折り畳み可能なバッキングの特殊な構造化のために折り畳まれる。この特殊な構造化は、折り畳み可能なバッキングの壁の折り目または、可変の厚さの壁の提供もしくは段差のある壁や形状化された壁の提供という形態を取り得る。前面および折り畳み可能なバッキングのオプションは、本発明に従う折り畳み可能な容器を作成するために任意の様式で組み合わせることが可能であり、したがって、本発明の要約は、特徴の多くの組み合わせを記載する。本開示は、特定の実施形態の具体的で非制限的な例を提供する。
【００４４】
本発明に従う折り畳み可能なバッキングの第１の実施形態は、可撓性のある膜状の材料で作られていることを特徴とする。この実施形態を、符号１１０で指定する折り畳み可能な容器の一部として、図２〜８に示す。折り畳み可能な容器１１０は、容器容積１１６を画定するように折り畳み可能なバッキング１１４が固定された前面１２を含む。製品Ｐは、容器容積１１６内に維持され、容器容積は、容器容積１１６からの製品Ｐの一部の除去が容器容積を減少させるように密閉されている。容器容積１１６が減少するにつれて、折り畳み可能なバッキング１１４は折り畳まれるが、これは、容器には通気口がなく、したがって、除去されている製品に置き換わるように空気が進入することが不可能であるからである。折り畳み可能な容器１１０は、開口部１１７がその基部、特に、前面１２と折り畳み可能なバッキング１１４とが容器の基部で接触する位置にあるところが示されているが、この開口部１１７は、製品が容器１１０から除去されるときに、容器１１０の容積が必然的に減少し、それにより、折り畳み可能なバッキング１１４が、本発明に従ってそうするように設計されているように、かならず折り畳まれるように、一般的には密封されていることが理解される。容器１１０は、図２〜７では開口部１１７が密閉されていないところが示されているが、それは、製品が除去されるときに折り畳み可能なバッキング１１４が折り畳まれるように開口部１１７が密閉される様式は、本発明の最も広範囲の実施形態にとっては重要ではないからである。それにもかかわらず、容器１１０は、図４〜７には、折り畳みの様々な段階で示されている。他の実施形態では、開口部１１７は、図８に示すようにポンプ１１１によって密閉され得るが、これまた、最も広い意味において、本発明は、折り畳み可能な容器が、製品が除去される（開口部１１７などの）開口部でどのように密閉され得るかとは無関係に、折り畳み可能な容器に関する。
【００４５】
述べたように、この実施形態では、折り畳み可能なバッキング１１４は、高度に可撓性の膜もしくはホイルまたは類似の材料である。したがって、製品Ｐが分注されて容器容積１１６が減少するにつれて、折り畳み可能なバッキング１１４を形成する可撓性材料は、図４〜７に示すように、前面１２に向けてひとりでに折り畳まれる。最終的には、図７に示すように、折り畳み可能なバッキング１１４の可撓性材料の少なくとも一部は、１１９（図６）に示すように、引っ張られて前面１２と接触するが、この出来事は、利点となるように利用することが可能である。より特定的には、一部の実施形態では、証印を、折り畳み可能なバッキング１１４の内面１１５上に印刷することが可能であるが、この証印は、内面１１５が前面１２に近づくまたは接触するときに、それが前面１２を通して可視的であるように配置されている。証印は、画像の任意の掲示であり得るが、この実施形態では、折り畳み可能な容器１１０がほとんど空であることを保守要員（または他の適当なエンティティ）に対して示す「間もなく交換」という語を用いる交換掲示として示されている。
【００４６】
高度に可撓性の折り畳み可能なバッキング１１４の材料は、袋状で非晶質の折り畳み可能な構造を提供する実質的に任意の材料から選定され得る。適切な材料は、当業者には明らかであり、制限なしに、二軸延伸のポリエチレンテレフタレート（例えば、Ｍｙｌａｒ（商標））、ナイロン、低密度ポリエチレン、および類似物などのポリマー膜を含み得る。
【００４７】
高度に可撓性の折り畳み可能なバッキング１１４は、自身も可撓性であり、かつ、したがって、折り畳まれる前面１２と共に用いられ得る、または、その形状を維持するように適合された前面１２と共に用いられ得る。前面１２のこれらのオプションは、より完全に以下に説明されるが、折り畳み可能なバッキングの他の実施形態を最初に説明する。
【００４８】
本発明に従う折り畳み可能なバッキングの第２の実施形態は、先行する実施形態の非晶質の袋状形状ではなくて、より構造化された形状を有することを特徴とする。このことは、製品が折り畳み可能な容器から除去され、それが容器容積の減少をもたらして、折り畳み可能なバッキング構造が折り畳まれることになるまで、その製造された形状を実質的に維持する材料から形成することによって達成される。
【００４９】
この実施形態を、符号２１０で指定する折り畳み可能な容器の一部として図９〜１３に示す。容器２１０は、容器容積２１６を画定するように折り畳み可能なバッキング２１４が固定される前面１２を含む。製品Ｐは容器容積２１６内に維持され、容器容積２１６からの製品Ｐの一部の除去が容器容積を減少させるように、容器容積は、（例えば図８を参照して開示するようなポンプ（図示せず）などで）密閉されている。容器容積２１６が減少するにつれて、折り畳み可能なバッキング２１４は折り畳まれるが、それは、容器に通気口が付いてなく、したがって、除去される製品に取って代わる空気が進入することが不可能であるからである。本実施形態の折り畳み可能なバッキング２１４は、製品が折り畳み可能な容器２１０から除去され、それが容器容積２１６を減少させるにつれて、その製造された形状を実質的に維持しながらも、なおも容易に曲がる、屈曲する、折れ曲がる、および別様に折り畳まれる材料から形成されることを特徴とする。
【００５０】
特に利点のある実施形態では、折り畳み可能なバッキング２１４は、図１１に表されるように、前面１２が自身に取り付けられることなく、複数の折り畳み可能なバッキング２１４が、互いの内部にネストすることが可能であるように形成される。このことは、ネスト方向に延在し、かつこの軸Ａに平行な表面を有しない、開口部２１を通る軸Ａを画定することによって達成される。この一般的な概念は、容器を積み重ねる技術では一般的に周知である。これは利点となるが、それは、完成された折り畳み容器を形成するのに必要な部品、すなわち、前面、折り畳み可能なバッキングを、最小量のスペース内に、それを充填することが望まれるまで保管することが可能であるからである。
【００５１】
本発明の折り畳み可能なバッキング２１４の材料は、当業者には明らかであり、特定の非制限的実施形態では、折り畳み可能なバッキング２１４は、ポリエチレンテレフタレート（ＰＥＴ）、ナイロン、低密度ポリエチレン（ＬＤＰＥ）などで形成される。曲がる、屈曲する、折れ曲がる、および別様に折り畳まれる薄い壁を持つ折り畳み可能なバッキング２１４を、（本明細書の後半で説明される他の実施形態でのように）一般的に繰り返し可能であるが、必ずしも制御されていない様式で作成することには、充分な配慮が支払われる。材料は、ドローイングもしくは熱形成されるまたは別様に生産され得る。ドローイング方法は、材料の保管シートを加熱して、所望の形状にドローイングすることを可能にするが、加熱およびドローイングは、折り畳みに影響するために、より薄い壁およびより厚い壁を生産するように制御することが可能である。
【００５２】
したがって、製品Ｐが分注され、容器容積２１６が減少するにつれて、折り畳み可能なバッキング２１４を形成する材料がひとりでに折り畳まれて、図１２および１３に引かれた様々な、そして概してランダムな輪郭線によって表されるように、それが折り畳まれるにつれて、曲がり、屈曲し、折れ曲がり、およびよじれる。背壁２２０は、前面１２に向かって引かれ、結局は、前の実施形態に関連してすでに注記したように、折り畳み可能なバッキング２１４の材料の少なくとも一部が引かれて、前面１２と接触するまたは、少なくとも近接近して位置する。したがって、一部の実施形態では、証印が折り畳み可能なバッキング２１４の内面上に印刷されて、この内面が前面１２に近づくまたは接触するときに、前面１２を通して可視的になるようにすることが可能である。
【００５３】
本発明に従う折り畳み可能なバッキングの第３の実施形態は、より制御された様式で折り畳まれるように構造化された構造化形状を有することを特徴とする。様々な例示の実施形態を、本明細書に示す。構造化形状は、製品が折り畳み可能な容器から除去されて、容器容積の減少をもたらし、結局、折り畳み可能なバッキング構造が折り畳まれるに至るまで、その製造された形状を実質的に維持する材料から折り畳み可能なバッキングを形成することによって達成される。折り畳み可能なバッキングのより強い部分とより弱い部分とを提供することによって、折り畳みが制御される。
【００５４】
より制御された様式で折り畳まれることになる折り畳み可能なバッキングの第１の実施形態を、符号３１０で指定される折り畳み可能な容器の一部として図１４〜１５に示す。他の実施形態でより詳細に開示したが、これらの限られた図は、この実施形態の理解にとっては全く十分である。容器３１０は、容器容積３１６を画定するように折り畳み可能なバッキング３１４が固定される前面１２を含む。製品Ｐは容器容積３１６内に維持され、容器容積は、すでに説明したように、容器容積３１６からの製品Ｐの一部の除去が容器容積を減少させるように密閉されている。容器容積３１６が減少するにつれて、折り畳み可能なバッキング３１４は折り畳まれるが、それは、容器には通気口がなく、したがって、除去されている製品に取って代わる空気が進入することが不可能であるからである。この実施形態の折り畳み可能なバッキング３１４は、実質的にその製造された形状を維持しながらも、なおも、背壁よりも比較的弱い上壁、底壁、および側壁を有する結果として概して制御された様式で折り畳まれる材料で形成されることを特徴とする。
【００５５】
より特定的には、折り畳み可能なバッキング３１４は、上壁（図示せず）、底壁３２２、左側壁３２６、および右側壁３２８によって前面１２から分離されている背壁３２０を含む。背壁３２０は、前面１２の反対側にあり、左側壁３２６および右側壁３２８は、前面１２を背壁３２８と相互接続し、上壁（図示せず）を底壁３２２と相互接続する。同様に、上壁と同じように、底壁３２２は、前面１２、背壁３２０、左側壁３２６、および右側壁３２８と相互接続する。この実施形態では、底壁３２２、上壁、左側壁３２６、および右側壁３２８は全て、背壁３２０よりも弱くなるように形成され、それにより、製品Ｐが分注されて、容器容積３１６が減少するにつれて、底壁３２２、上壁、左側壁３２６、および右側壁３２８を形成する材料がひとりでに折り畳まれ、一方では、より強い背壁３２０は、その形状を維持する傾向があり、したがって、図１５の矢印Ｂで表すように、前面１２に向かって引かれる。背壁３２０は、前面１２に向かって引かれ、結局は、前の実施形態に関連してすでに注記したように、背壁３２０での折り畳み可能なバッキング３１４の材料の少なくとも一部が引かれて、前面１２と接触するまたは、少なくとも近接近して位置する。したがって、一部の実施形態では、証印が、背壁３２０で折り畳み可能なバッキング３１４の内面上に印刷されて、この内面が前面１２に近づくまたは接触するときに、前面１２を通して可視的になるようにすることが可能である。
【００５６】
特に利点のある実施形態では、折り畳み可能なバッキング３１４は、図１１に関連してすでに開示したように、前面１２が自身に取り付けられることなく、複数の折り畳み可能なバッキング３１４が、互いの内部にネストすることが可能であるように形成される。本発明の折り畳み可能なバッキング３１４の材料は、当業者には明らかであり、特定の非制限的実施形態では、折り畳み可能なバッキング３１４は、ポリエチレンテレフタレート（ＰＥＴ）、ナイロン、ＬＤＰＥなどで形成される。ちょうど開示した制御された折り畳みを達成するために、より強い背壁に対してより弱い上壁、底壁、および側壁を持つ折り畳み可能なバッキング３１４を作成することに対しては、充分な配慮が支払われる。材料は、ドローイングもしくはブローモールディングまたは別様に生産され得る。ドローイング方法は、材料の保管シートを加熱して、所望の形状にドローイングすることを可能にするが、加熱およびドローイングは、折り畳みに影響するために、より薄い壁およびより厚い壁を生産するように制御することが可能である。特に、一部の実施形態では、より弱い壁は、上壁、底壁、および側壁を加熱して、比較的厚い背壁よりも薄くなるようにドローイングすることによって作成される。
【００５７】
より制御された様式で折り畳まれることになる折り畳み可能なバッキングの第２の実施形態を、符号４１０で指定される折り畳み可能な容器の一部として図１６〜１７に示す。他の実施形態でより詳細に開示したが、これらの限られた図は、この実施形態の理解にとっては全く十分である。容器４１０は、容器容積４１６を画定するように折り畳み可能なバッキング４１４が固定される前面１２を含む。製品Ｐは容器容積４１６内に維持され、容器容積は、すでに説明したように、容器容積４１６からの製品Ｐの一部の除去が容器容積を減少させるように密閉されている。容器容積４１６が減少するにつれて、折り畳み可能なバッキング４１４は折り畳まれるが、それは、容器には通気口がなく、したがって、除去される製品に取って代わる空気が進入することが不可能であるからである。この実施形態の折り畳み可能なバッキング４１４は、実質的にその製造された形状を維持しながらも、なおも、背壁よりも比較的弱い上壁、底壁、および側壁に至る段差構造を有する結果として概して制御された様式で折り畳まれる材料で形成されることを特徴とする。
【００５８】
より特定的には、折り畳み可能なバッキング４１４は、上壁（図示せず）、底壁４２２、左側壁４２６、および右側壁４２８によって前面１２から分離されている背壁４２０を含む。背壁４２０は、前面１２の反対側にあり、左側壁４２６および右側壁４２８は、前面１２を背壁４２８と相互接続し、上壁（図示せず）を底壁４２２と相互接続する。同様に、上壁と同じように、底壁４２２は、前面１２、背壁４２０、左側壁４２６、および右側壁４２８と相互接続する。この実施形態では、底壁４２２、上壁、左側壁４２６、および右側壁４２８は全て、段差４３０および４３２で背壁４２０よりも弱くなるように、段差構造で形成され、それにより、製品Ｐが分注されて、容器容積４１６が減少するにつれて、底壁４２２、上壁、左側壁４２６、および右側壁４２８を形成する材料がひとりでに折り畳まれ、一方では、より強い背壁４２０は、その形状を維持する傾向があり、したがって、図１６の矢印Ｃで表すように、前面１２に向かって引かれる。背壁４２０は、前面１２に向かって引かれ、一方、底壁４２２、上壁、左側壁４２６、および右側壁４２８は、段差４３０、４３２で順にはめ込まれて（すなわち、自身中に摺動して）折り畳まれ、結局は、前の実施形態に関連してすでに注記したように、背壁４２０での折り畳み可能なバッキング４１４の材料の少なくとも一部分が引かれて、前面１２と接触するまたは、少なくとも近接近して位置する。したがって、一部の実施形態では、証印が、背壁４２０で折り畳み可能なバッキング４１４の内面上に印刷されて、この内面が前面１２に近づくまたは接触するときに、前面１２を通して可視的になるようにすることが可能である。
【００５９】
特に利点のある実施形態では、折り畳み可能なバッキング４１４は、図１１に関連してすでに開示したように、前面１２が自身に取り付けられることなく、複数の折り畳み可能なバッキング４１４が、互いの内部にネストすることが可能であるように形成される。本発明の折り畳み可能なバッキング４１４の材料は、当業者には明らかであり、特定の非制限的実施形態では、折り畳み可能なバッキング４１４は、ポリエチレンテレフタレート（ＰＥＴ）、ナイロン、ＬＤＰＥなどで形成される。ちょうど開示した制御された折り畳みを達成するために、より強い背壁に対してより弱く段差の付いた上壁、底壁、および側壁を持つ折り畳み可能なバッキング４１４を作成することに対しては、充分な配慮が支払われる。材料は、ドローイングもしくは熱成形または別様に生産され得る。ドローイング方法は、材料の保管シートを加熱して、所望の形状にドローイングすることを可能にするが、加熱およびドローイングは、折り畳みに影響するために、より薄い壁およびより厚い壁を生産するように制御することが可能である。特に、一部の実施形態では、より弱い壁は、上壁、底壁、および側壁を加熱して、比較的厚い背壁よりも薄くなるようにドローイングすることによって作成される。
【００６０】
本発明に従う折り畳み可能なバッキングの第３の実施形態は、より制御された様式で折り畳まれるように構造化された構造形状を有することを特徴とする。この実施形態を図１８〜２１に示すが、参照して本明細書に組み込まれる米国特許出願第１３／０３１，８７５号を再検討することによってより特定的に理解することが可能である。この実施形態は、符号５１０で指定される。容器５１０は、容器容積５１６を画定するために折り畳み可能なバッキング５１４が固定される前面１２を含む。製品Ｐは容器容積２１６内に維持され、容器容積は、容器容積２１６からの製品Ｐの一部分の除去が容器容積を減少させて、折り畳み可能なバッキングを折り畳ませるように、（例えば図８を参照して開示するようなポンプ（図示せず）などで）密閉されている。この実施形態の折り畳み可能なバッキング２１４は、制御され、かつ望ましい様式でそれが折り畳まれるのを容易化する折り目を有することを特徴とする。折り畳み可能なバッキングは、折り目による制御された様式で折り畳まれるまで、その形状を保持する幾分か剛性の材料で形成することが可能である。
【００６１】
図１８〜２１を参照して、折り畳み可能なバッキング５１４は、背壁５２０、底壁５２２、上壁５２４、左側壁５２６、および右側壁（図示しないが、左側壁５２６に類似している）を含む。背壁５２０は、前面１２の反対側にあり、左側壁５２６および右側壁は、前面１２を背壁５２０と相互接続し、上壁５２４を底壁５２２と相互接続する。同様に、底壁５２２のように、上壁５２４は、前面１２、背壁５２０、左側壁５２６、および右側壁と相互接続する。様々な壁間での移行部分は、例えば、背壁５２０と上壁５２４との間の移行部分５３４で、図から分かるように、少し丸められまたは角付けされ得る。
【００６２】
左側壁５２６は、上壁５２４と背壁５２０の交差点に近接する第１の端部から、左側壁５２６によって画定される表面エリア内に位置付けされる第２の端部５３７まで、下向きに（図示する方位に）かつ背壁５２０から離れる方向に、ほぼ斜め方向に延在する第１の上左壁折り目５３６を含む。図示するような特定の実施形態では、第２の端部は、左側壁５２６の水平方向中央で終端する。図１８〜２１には見えない右側壁は、左側壁５２６を模倣し、左側壁５２６に関連して開示する折り目は、右側壁に含まれうる。本明細書に開示するこれらおよび他の「折り目」は、これらが位置付けられている様々な壁の表面の些少な（ひだなどの）止めまたは弱めによって画定される。他の実施形態では、それらは、壁表面に事前に形成されたひだによって形成され得る。特定の実施形態では、それらは、多分背壁５２０中の折り目５３８で最もよく見られるように（そして、以下により完全に検討するように）、折り畳まれるときに折り目が移動する方向に延在する止めである。折り畳み可能な容器５１０の容積が製品の除去のために減少し始めるとき、容器５１０は、これらの折り目に沿って折れ曲がる傾向があり、容器の表面エリアの他の部分に沿って折れ曲がったり、ねじれたり、よじれたり、または別様に折り畳まれたりすることと比較してこれらの「折り目」に沿って少なくともより容易に折れ曲がる。
【００６３】
背壁５２０は、背壁５２０を上小面５４０と中央小面５４２とに分離するために背壁５２０にわたって延在する（図１９の背面図を参照）背壁上折り目５３８を含む。特定の実施形態では、背壁上折り目５３８は、第１の上左壁折り目５３６の第２の端部５３７と垂直方向に整列した位置で、背壁にわたって水平方向に延在する。これはまた、右側壁の類似の折り目の類似の第２の端部と整列している。背壁上折り目５３８は、背壁５２０を、背壁上折り目５３８の上方に延在する上小面５４０と背壁上折り目５３８の下方、かつ背壁下折り目５４４の上方に延在する中央小面５４２とに分離する。
【００６４】
左側壁５２６はまた、底壁５２２と背壁５２０の交差点に近接する第１の端部から、左側壁５２６によって画定される表面エリア内に位置付けされる第２の端部５４７まで、上向きに（図示する方位に）かつ背壁５２０から離れる方向に、ほぼ斜め方向に延在する第１の下左壁折り目５４６を含む。図示するそれのような特定の実施形態では、第２の端部は、左側壁５２６の水平方向中央で終端する。言及したように、右側壁は、左側壁５２６を模倣しうる。
【００６５】
背壁５２０はまた、背壁５２０を下小面５４８と中央小面５４２とに分離するために背壁５２０にわたって延在する（図１９の背面図を参照）背壁下折り目５４４を含む。特定の実施形態では、背壁下折り目５４４は、第１の下左壁折り目５４６の第２の端部５４７と垂直方向に整列した位置で、背壁５２０にわたって水平方向に延在する。これはまた、右側壁の類似の折り目の類似の第２の端部と整列している。背壁下折り目５４４は、背壁５２０を、背壁下折り目５４４の下方に延在する下小面５４８に分離して、さらに中央小面５４２を画定する。
【００６６】
図示する具体的な実施形態よりも簡略化された特定の実施形態では、容器５１０は、前述の第１の上左壁折り目５３６（および、右側壁の類似の折り目）、背壁上折り目５３８、第１の下左壁折り目５４６（および右側壁の類似の折り目）、および背壁下折り目５４４を備え、容器が、製品の除去が容器容積５１６を減少させるように密閉されたときに、上小面５４０が中央小面５４２に向かって下向きに折れ曲がり、同時に、下小面５４８が、中央小面に向かって上向きに折れ曲がり、結果として容器がより制御されて折り畳まれるように、容器が折り目に沿って折れ曲がる。このより制御された折り畳みは実現されるが、その理由は、容器は前述の折り目に沿って折り畳まれる傾向があり、したがって、繰り返し折り畳まれ、容器の部分は、先行技術の折り畳み可能な容器と比較して、より実質的に平坦なままに留まる傾向があるからである。上壁５２４は、折り畳まれる最中は実質的に平坦なままに留まり、上小面５４０が、背壁上折り目５３８の周りで、中央小面５４２に向かって折れ曲がるにつれて、上壁５２４は、上壁５２４と前面１２との結合部に近接した枢着部で下向きに枢動する。本例では、上小面５４０および中央小面５４２は、容器の折り畳み中には実質的に平坦なままに留まる傾向があり、これがさらに、上壁５２４を実質的に平坦に保つ傾向がある。同様に、底壁５２２は、折り畳まれる最中は実質的に平坦なままに留まり、下小面５４８が、背壁下折り目５４４の周りで、中央小面５４２に向かって折れ曲がるにつれて、底壁５２２は、底壁５２２と前面１２との結合部に近接した枢着部で上向きに枢動する。本例では、下小面５４８および中央小面５４２は、容器の折り畳み中には実質的に平坦なままに留まる傾向があり、これがさらに、底壁５２２を実質的に平坦に保つ傾向がある。折り目がないと、むしろ、容器は、実質的に平坦な小面がなくて、よりランダムな様式で反り返って折り畳まれる。
【００６７】
他の実施形態では、折り畳み可能な容器５１０は、ほぼ斜め方向下向きに（図示する方位に）、かつ上壁５２４と前面１２との交点に近接した第１の端部から、第１の上左壁折り目５３６の第２の端部５３７と交差する第２の端部まで延在して、ほぼＶ字形状を作成する左側壁５２６の第２の上左壁折り目５５０をさらに含む。これが、左側壁５２６の上部にＶ字形状の小面を画定するが、このＶ形状小面は、第１および第２の上左壁折り目５３６、および５５０と上壁５２４との間に画定される。同様に、折り畳み可能な容器５１０は、ほぼ斜め方向上向きに（図示する方位に）、かつ底壁５２２と前面１２との交点に近接した第１の端部から、第１の下左壁折り目５４６の第２の端部５４７と交差する第２の端部まで延在して、ほぼＶ字形状を作成する左側壁５２６の第２の下左壁折り目５５２をさらに含む。これが、左側壁５２６の下部にＶ字形状の小面を画定するが、このＶ字形状小面は、第１および第２の下左壁折り目５４６、および５５２と底壁５２２との間に画定される。同様の構造が、右側壁で繰り返される。
【００６８】
さらに他の実施形態では、折り目によって作成された前述のＶ字形状は、むしろ、一つが端部５３７から下向きに延在し、一つが端部５４７から上向きに延在する垂直方向折り目を含むためにＹ字形状に形成される。とりわけ、この折り目は、以下に検討するように、垂直方向に折れ曲がることを促進するにちょうど十分なだけ非常に限られた垂直方向長さにわたって延在することが可能であり、また、結合端部５３７および５４７の点にまでかなりの垂直方向長さにわたって延在することが可能である。
【００６９】
図２０および２１から分かるように、容器５１０の容積が減少するにつれて、容器５１０は、第１および第２の上左壁折り目５３６、５５０（および右側壁の類似の折り目）に沿って折れ曲がり、このため、その間のＶ字形状小面は内向きに折れ曲がる。加えて、左側壁５２６は、端部５３７からほぼ垂直方向下向きに延在する線を中心として内向きに折り畳まれる（かつ、右側壁が同様に折り畳まれる）。前述の左側壁および右側壁の垂直方向折り目（Ｙ字形状折り目交点を形成する）を用いるとき、ほぼ垂直方向線を中心としての内向きのこの折り畳みが容易化される。同様に、容器５１０の容積が減少するにつれて、容器５１０は、第１および第２の下左壁折り目５４８、５５２（および右側壁の類似の折り目）に沿って折れ曲がり、このため、その間のＶ字形状小面は内向きに折れ曲がる。加えて、左側壁５２６は、端部５４７からほぼ垂直方向上向きに延在する線を中心として内向きに折り畳まれる（かつ、右側壁が同様に折り畳まれる）。前述の左側壁および右側壁の垂直方向折り目（Ｙ字形状折り目交点を形成する）を用いるとき、ほぼ垂直方向線を中心としての内向きのこの折り畳みが容易化される。左側壁５２６の内向きの折り畳みは、一般に、図２０の線５５４で表される。
【００７０】
図２０および２１を参照すると、背壁５２０の上小面５４０は、中央小面５４２に向かって下向きに折れ曲がり、一方、上壁５２４は、前面１２との接触部に近接して折れ曲がることが分かる。同様に、背壁５２０の下小面５４８は、中央小面５４２に向かって上向きに折れ曲がり、一方、底壁５２２は、前面１２との接触部に近接して折れ曲がる。さらに、Ｖ字形状小面は、内向きに折れ曲がる。上部および底部での折れ曲がりは、一般的な茶色の紙の雑貨入れ袋または弁当袋の折れ曲がりを綿密に模倣しており、中央小面５４２は、それが前面１２に向かって引かれるときに実質的に平坦なままに留まることが可能であることが理解される。結局、背壁５２０での折り畳み可能なバッキング５１４の材料の少なくとも一部分は、前の実施形態に関連してすでに注記したように、引かれて前面１２と接触する、または、少なくともこれに近接近して位置する。したがって、一部の実施形態では、証印が、背壁５２０で折り畳み可能なバッキング５１４の内面上に印刷されて、この内面が前面１２に近づくまたは接触するときに、前面１２を通して可視的になるようにすることが可能である。この実施形態では、証印は、中央小面の内面上に特定的に配置され得る。
【００７１】
特に利点のある実施形態では、折り畳み可能なバッキング５１４は、図１１に関連してすでに開示したように、前面１２が自身に取り付けられることなく、複数の折り畳み可能なバッキング５１４が、互いの内部にネストすることが可能であるように形成される。本発明の折り畳み可能なバッキング５１４の材料は、当業者には明らかであり、特定の非制限的実施形態では、折り畳み可能なバッキング５１４は、ポリエチレンテレフタレート（ＰＥＴ）、ナイロン、ＬＤＰＥなどで形成される。本明細書で説明したように折り目を形成することには、充分な配慮が支払われる。材料は、ドローイングもしくはブローモールディングまたは別様に生産され得る。ドローイング方法は、材料の保管シートを加熱して、所望の形状にドローイングすることを可能にするが、加熱およびドローイングは、折り畳みに影響するために、より薄い壁およびより厚い壁を生産するように制御することが可能であり、モールドは、折り畳み可能なバッキングに折り目を付与するために、リブなどを含み得る。
【００７２】
一部の実施形態では、前面１２は、可撓性であり、したがって、容器容積が減少するにつれて、その最初の形状を失いやすいように設計可能であることを最初に上記した。しかしながら、さらに、前面１２は、それでも、その周囲の少なくとも一部の周りにフレームを有することによって、その形状を維持するように設計されうることに留意されたい。また、他の実施形態では、前面１２は、容器容積が減少するにつれて折り畳み可能なバッキングが折り畳まれるときにその形状を維持するように適合されうるが、そのように適合されるときに、フレームは省略されうることに留意されたい。このことを理解して、開示した上記の折り畳み可能なバッキングの実施形態は、前面１２がその最初の形状を維持した状態で、折り畳まれるところが図示されたものである。本開示は、ここで、前面での形状維持がどのようにして達成されるかの説明に移るが、最初に、その形状を維持することになる前面の実施形態から始めて、その後で、可撓性があって、その最初の形状を失いやすい前面の実施形態に移る。
【００７３】
一部の実施形態では、前面１２は、変形に抵抗するように剛性である。これは、本明細書では、その形状を維持するように適合された前面と呼ばれる。それはまた、「形状維持前面」とも呼ばれ、それを形成する材料は、「形状維持材料」と呼ばれ得る。このような実施形態では、製品の除去により容器容積が減少するにつれて、図４、５、６、１２、１３、１５、１７、２０、および２１に示すように、折り畳み可能なバッキングが、前面１２に向かって真空により引かれるが、前面１２は、前面１２の形状維持材料を思慮深く選定することによってその構造を維持する。実際、前面１２は、容器容積から製品が除去されたときに生じる真空の生成時にその形状を維持する実質的に任意の材料で作ることが可能である。適切な形状維持材料の選択は当業者には明らかであるとはいえ、剛性の前面１２の特に適切な材料は、ポリエチレンテレフタレート（ＰＥＴ）、ナイロン、ＬＤＰＥなどから選択され得る。加えて、前面１２は、特定の実施形態では実質的に平坦であり得るが、それは、他の実施形態では別様に形状化され得る。前面１２はまた、透明もしくは半透明または部分的に透明もしくは半透明であり得るが、そのため、その中の製品は、前面１２を通して見ることが可能である。他の実施形態では、前面１２は、画像および／または文字をその上に持ち、部分的に透明または半透明であり得る。他の実施形態では、前面は、不透明であって、画像および／または文字がその上に印刷されていたりされていなかったりし得る。
【００７４】
他の実施形態では、前面１２は、非剛性であり、したがって、幾分か可撓性であり、容器容積から製品が除去されたときに生じる真空の生成時に折り畳まれやすい。前面１２のこの実施形態を、図２２および２３を参照して開示する。可撓性で折り畳み可能な前面を有する実施形態では、前面１２は、前面１２の周囲５６の少なくとも一部分の周りに延在するフレーム１８を含む。フレーム１８は、複数のフレーム支持体５８を含むが、これらは、この実施形態では、アパーチュア６０ａ、ｂ、ｃ、ｄ、ｅ、ｆ、ｇという形態で示されている。この実施形態では、フレーム１８は、前面１２の周囲５６の全体の周りに、しかし、フレーム１８およびフレーム支持体５８が果たすべき機能に従って延在しており、本発明は、フレームが前面の周囲の少なくとも一部分の周りで画定された状態で実施され得ることが理解されるであろう。加えて、フレーム支持体５８はこの実施形態では、フレーム支持体５８が果たすべき機能に従って、アパーチュアとして示されているが、この発明は、フレーム支持体が別の方法で構造化された状態で実施され得ることが理解されるであろう。例えば、フレーム支持体は、以下にさらに検討するように、ポストもしくはフックまたはフック繊維もしくはループ繊維（フックアンドループ留め具の場合）、ディスペンサ上の適切な補完構造と相互作用するポストもしくはフックまたはフック／ループ繊維として提供され得る。
【００７５】
可撓性前面１２の場合、フレーム支持体５８が、ディスペンサ筐体に取り付けられたときに、前面１２の形状を維持するために用いられる。このことを図２２および２３に示すが、ここでは、壁掛けタイプのディスペンサ筐体が図示され、容積が符号６２で指定されている。ディスペンサ筐体６２は、折り畳み可能な容器、この例では、可撓性前面１２、折り畳み可能なバッキング１４、フレーム１８、およびアパーチュア６０ａ〜ｇの形態の複数のフレーム支持体５８を有する折り畳み可能な容器１０を受容するための容積６３を画定する。ポンプ１１が折り畳み可能な容器１０に固定されており、ポンプ１１の動作が、ある用量の製品を容器１０から分注させ、結果として、容器容積の減少と、折り畳み可能なバッキング１４の折り畳みとをもたらす。前壁６６を提供するカバー６４は、レセプタクル６８に取り外し可能に固定されており、それにより、ディスペンサ筐体６２が、空の折り畳み可能な容器１０を除去して、それを充填された折り畳み可能な容器１０と交換するように解放され得るようになっている。カバー６４は、むしろ、一般的に周知なように、レセプタクル６８上で枢動して解放され得る。筐体６２はまた、ロッド７２ａ、ｂ、ｃ、ｄ、ｅ、ｆ、ｇの形態の複数の引っ張りマウント７０を提供し、また、図２３に示すように、フレーム支持体５８およびより特定的にはアパーチュア６０ａ〜ｇが、折り畳み可能な容器１０がディスペンサ筐体６２、より特定的にはレセプタクル６８の中に取り付けられるときには、引っ張りマウント７０、より特定的にはロッド６０ａ〜ｇ上に取り付けられる。とりわけ、可撓性前面１２は、引っ張りマウント７０と、それらのフレーム支持体５８との相互作用とによって引っ張られた状態に保たれ、それにより、前面１２が、可撓性であるにもかかわらず、用量が分注されるときにも折り畳まれたりまたはねじれたりもそくはよじれたりしえないようにされる。むしろ、折り畳み可能なバッキング１４は前面１２に向かって折り畳まれ、一方、前面１２は、引っ張りマウント７０によって保持される張力によってその最初の形状を維持する。
【００７６】
ここで、フレーム支持体がなぜ任意の数の方法で、例えば、ポストもしくはフックまたはフック繊維もしくはループ繊維（フックアンドループ留め具の場合）として提供することが可能であるかをより良く理解すべきである。任意の適切な構造は、それが、前部面を引っ張られた状態に保つためにディスペンサ筐体上の構造と係合することが可能である限りは、用いられ得る。フレーム上のポストは、筐体の穴と相互作用し得るが、フレーム上のフックは筐体の小穴と係合し得る、またはフレーム上のフック繊維は、筐体上のループ繊維と係合し得る（またはそれらの逆）。
【００７７】
一部の実施形態では、前壁６６は、筐体６２の内部の少なくとも一部の表示を可能にする観測窓７２を含む。図２２〜２４に見るように、観測窓７２は、前面１２の少なくとも一部分と整列し、それにより、前面１２がそれを通して監視することが可能であるようにする。前面１２が透明または半透明である実施形態では、容器容積中の製品は、観測窓７２を通して眺めることが可能である。上記したように、折り畳み可能なバッキングの背壁の内面は、容器がほとんど空であるまたは再充填される必要があるとの掲示を担持し得るが、この掲示は、観測窓７２を通して眺められうる。観測窓７２は、実際には物理的な窓（すなわち、透かして見える明瞭なプラスチック）を担持するのが普通であるが、特に、前面１２が形状保持式である一部の実施形態では、観測窓７２は、物理的窓を有しない簡単なアパーチュア（すなわち、透明なカバリング）であり得るし、折り畳み可能な容器の前面は、物理的な窓として機能することが可能である。このような実施形態では、前面１２は、それが穿刺または他の改ざんに抵抗するに十分強力であるように形成されるべきである。
【００７８】
図２４から分かるように、本発明の折り畳み可能な容器１０は、ディスペンサ筐体６２に受容され、ポンプは折り畳み可能な容器に固定され、任意の数の周知のまたは後で開発された動作機構を、ポンプを動作させるために用い得るが、この動作機構を、符号８０で一般に指定する。ポンプは、一般に周知であるように、筐体の下の手に分注しうる。実際、ポンプと、ディスペンサ筐体の動作機構とは、この発明の焦点ではなく、本発明は新しい折り畳み可能な容器の開示に関係している。これらの容器がどのようにディスペンサ技術に応用することが可能であるかは、当業者には容易に明らかであろう。
【００７９】
様々な壁（前壁、背壁、左壁、右壁、上壁、底壁）の方位に関する用語の全ては、全く相対的であり、本発明をいかようにも制限しないことを理解すべきである。実際、一部の実施形態では、折り畳み可能な容器は、底が実際には上壁または側壁でさえあるように方位付けされ得る。
【００８０】
前述に照らして、本発明は、構造的にかつ機能的に先行技術に対していくつかの方法において改善されている折り畳み可能な容器を提供することによって、技術をかなり進歩させることを理解すべきである。本発明の特定の実施形態を本明細書に詳細に開示したが、本発明はそれらに制限されず、または、したがって、本明細書の本発明に対する変更例が、当業者には容易に理解され得るであろうことを理解すべきである。本発明の範囲は、次の請求の範囲から理解されるものとする。
【図１】
2015530321.tif 000003
【図２】
2015530321.tif 000004
【図３】
2015530321.tif 000005
【図４】
2015530321.tif 000006
【図５】
2015530321.tif 000007
【図６】
2015530321.tif 000008
【図７】
2015530321.tif 000009
【図８】
2015530321.tif 000010
【図９】
2015530321.tif 000011
【図１０】
2015530321.tif 000012
【図１１】
2015530321.tif 000013
【図１２】
2015530321.tif 000014
【図１３】
2015530321.tif 000015
【図１４】
2015530321.tif 000016
【図１５】
2015530321.tif 000017
【図１６】
2015530321.tif 000018
【図１７】
2015530321.tif 000019
【図１８】
2015530321.tif 000020
【図１９】
2015530321.tif 000021
【図２０】
2015530321.tif 000022
【図２１】
2015530321.tif 000023
【図２２】
2015530321.tif 000024
【図２３】
2015530321.tif 000025
【図２４】
2015530321.tif 000026
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
折り畳み可能な容器から製品を分注するための手段を提供するディスペンサ筐体内で受容するための折り畳み可能な容器であって、
前記折り畳み可能な容器が、
変形に耐える形状維持材料から形成された前面と、
前記ディスペンサ筐体の中に前記前面を所定の位置に維持するために前記ディスペンサ筐体を係合するよう適合した前記前面の境界の少なくとも一部の周囲に画定したフレームと、
容器容積を画定するように前記前面に固定された折り畳み可能なバッキング(a collapsible backing)であって、前記折り畳み可能なバッキングが折り目を含み、前記折り畳み可能なバッキングが、前記容器容積が減少するにつれて前記折り目に沿って折り畳まれる、折り畳み可能なバッキングと、
前記容器容積内に維持される製品であって、前記容器容積からの前記製品の一部の除去が前記容器容積を減少させるように前記容器容積が密閉され、前記製品の除去により前記容器容積が減少するにつれて、（ａ）前記折り畳み可能なバッキングが前記前面に向かって真空により折り畳まれ、（ｂ）前記前面が前記形状維持材料から形成されることによりその形状を維持する製品を含む、折り畳み可能な容器。
【請求項２】
前記前面が、境界および前記境界の少なくとも一部の周囲に画定されたフレームを含み、前記フレームが、複数のフレーム支持体を含む、請求項１に記載の容器。
【請求項３】
前記折り畳み可能なバッキングが、可撓性膜で作られている、請求項１に記載の容器。
【請求項４】
折り畳み可能な容器から製品を分注するための手段を提供するディスペンサ筐体の中に受容するための折り畳み可能な容器であって、前記折り畳み可能な容器が、変形に耐える形状維持材料から形成した前面と、容器容積を画定するために前記前面に固定した折り畳み可能なバッキングであって、
前記折り畳み可能なバッキングが、
前記前面と反対側の背壁と、
前記前面と前記背壁とを相互接続する右側壁および左側壁と、
前記前面、背壁、右側壁、および左側壁と相互接続する底壁と、
前記前面、背壁、右側壁、および左側壁と相互接続する上壁であって、前記前面、背壁、右側壁、左側壁、上壁、および底壁が、製品を保持する容器容積を画定する、上壁と、
前記背壁にわたって延在する背壁上折り目であって、前記背壁を、前記背壁上折り目と前記上壁との間の上小面と、前記背壁上折り目と前記底壁との間の中央小面とに分離し、前記容器からの製品の除去が、前記容器容積を減少させ、前記容器容積が減少するにつれて、前記上小面が前記中央小面に向かって折れ曲がるように、前記容器が、前記背壁上折り目に沿って折れ曲がり、前記背壁上折り目での折れ曲がりが前記前壁ではシミュレートされず、かつ前記前壁がその形状を保持するように、前記前壁が、前記背壁上折り目の構造および機能を模倣する折り目を有しない、背壁上折り目と、
前記容器容積内に維持される製品であって、前記容器容積から前記製品の一部を除去することにより、前記容器容積が減少するように前記容器容積が密閉され、前記製品の除去により前記容器容積が減少するにつれて、（ａ）前記折り畳み可能なバッキングが前記前面に向かって真空により折り畳まれ、（ｂ）前記前面が前記形状維持材料から形成されることによりその形状を維持する製品と、折り畳み可能なバッキングとを含む、折り畳み可能な容器。
【請求項５】
前記製品のさらなる部分が前記容器容積から除去され、かつ前記容器が空の構成に近づくにつれて、前記折り畳み可能なバッキングの少なくとも一部が、前記前面に近接近する、請求項４に記載の容器。
【請求項６】
前記前面の少なくとも一部が、透明または半透明である、請求項５に記載の容器。
【請求項７】
折り畳み可能な容器から製品を分注するための手段を提供するディスペンサ筐体の中に受容するための折り畳み可能な容器であって、前記折り畳み可能な容器が、
境界を有する前面であって、前記前面の少なくとも一部が透明または半透明である、前面と、
前記筐体の中に前記前面を所定の位置に維持するために前記ディスペンサ筐体を係合するために適合した前記前面の境界の少なくとも一部の周囲に画定したフレームと、
容器容積を画定するために前記前面に固定した折り畳み可能なバッキングと、
前記容器容積内に維持される製品であって、前記容器容積から前記製品の一部を除去することにより、前記容器容積が減少するように前記容器容積が密閉され、かつ前記容器容積が減少するにつれて、前記折り畳み可能なバッキングが、前記前面に向かって真空により折り畳まれ、かつ、前記製品のさらなる部分が前記容器容積から除去され、前記容器が空の構成に近づくにつれて、前記折り畳み可能なバッキングの少なくとも一部が前記前面に近接近し、前記折り畳み可能なバッキングが内面を有し、かつ前記内面が前記前面に接近するか、または接触するときに、証印が前記前面の前記透明または半透明な部分を通して可視的であるように、前記証印が前記内面上に提供される製品を含む、折り畳み可能な容器。
【請求項８】
ディスペンサであって、
折り畳み可能な容器を受容するための容積を画定する筐体であって、
前記筐体の内部の少なくとも一部の表示を可能にする観測窓を有する前壁と、
引っ張りマウントと、を含む、筐体と、
前記筐体内に維持される折り畳み可能な容器であって、中の内容物の分注中に充填された構成から実質的に空の構成まで折り畳み可能であり、
前記筐体の前記観測窓に近接近して位置付けられる、周囲を有する前面と、
前記前面の前記周囲の少なくとも一部の周りで画定されたフレームと、
前記フレーム内のフレーム支持体と、
容器容積を画定するように前記前面に固定された折り畳み可能なバッキングであって、
前記前面、上壁、底壁、左側壁、および右側壁から分かれた背壁であって、前記背壁が、前記前面と反対側であり、かつ前記左側壁および前記右側壁が、前記背壁と前記前面を相互接続し、前記底壁と前記上壁と相互接続し、前記底壁および前記上壁が、それぞれ前記前面、前記背壁、前記左側壁、および前記右側壁と相互接続し、前記底壁、前記上壁、前記左側壁、および前記右側壁が、前記背壁よりも弱いステップですべて形成される、背壁と、
前記容器容積内に維持される製品であって、前記ディスペンサの動作時にある用量の製品が前記容器から分注され、前記容器容積からのある用量の製品の分注が前記容器容積を減少させるように前記容器が密閉され、前記背壁が、前記底壁、前記上壁、前記左側壁、および前記右側壁が前記背壁よりもすべて弱くなるように、前記底壁、前記上壁、前記左側壁、および前記右側壁よりも厚く、かつ、前記容器容積が減少するにつれて、前記底壁、前記上壁、前記左側壁、および前記右側壁が、それぞれの壁自体が折り畳まれ、前記ステップで圧縮され、この間前記背壁はその形状を維持する傾向があり、したがって、前記前面に向かって引き寄せられ、前記折り畳み可能なバッキングが前記前面に向かって真空により折り畳まれ、前記前面がその形状を維持し、かつ前記前面が前記観測窓に近接近したまま留まるように前記折り畳み可能な前記底壁、前記上壁、前記左側壁、および前記右側壁が、それぞれの壁自体が折り畳まれ、前記ステップで圧縮され、この間前記背壁はその形状を維持する傾向があり、したがって、前記前面に向かって引き寄せられ、バッキングが前記前面に向かって折り畳まれるにつれて所定の位置に維持されるように、前記前面が前記引っ張りマウントと前記フレーム支持体との間の相互作用により所定の位置に保持される製品と折り畳みバッキングを含む前記容器を含む、ディスペンサ。
【請求項９】
前記剛性の前面が、画像または文字を含む、請求項８に記載のディスペンサ。
【請求項１０】
前記ディスペンサの動作時に動作するポンプであって、前記ポンプの動作が、ある用量の前記製品を前記容器容積から分注する、ポンプをさらに備える、請求項８に記載のディスペンサ。
【国際調査報告】
2015530321.tif 000027
2015530321.tif 000028
2015530321.tif 000029